(57)【要約】【課題】  井戸管の底部に溜まった堆積物を吸い上げる装置の提供。【解決手段】  井戸管１に挿入されるリフト管２の先端には開口を有し、リフト管２は地上に配置した吸引車４のタンク９に接続し、リフト管先端の開口から井戸水６と共に土砂１０を吸い込んでタンク９に収容する。井戸水６と土砂１０をタンク内で分離し、そして、タンク９には一定水位以上溜まった井戸水６を排水して井戸管内へ戻すための戻しホース５を連結している。【選択図】    図１
2015214842.tif 000002
【特許請求の範囲】
【請求項１】
井戸管の底部に溜まった堆積物を吸い上げる方法において、先端に開口を有すリフト管を井戸管内に挿入し、地上に配置した吸引車にてリフト管先端の開口から水と共に土砂を吸い込んで吸引車のタンクに収容し、タンク内に収容した水と土砂を分離して水をタンクから排出して井戸管へ戻し、井戸管内の水位が低下しないようにすることを特徴とする井戸管底部の土砂吸上げ方法。
【請求項２】
リフト管の途中に接続したエアー管にエアーコンプレッサーにて圧縮空気を送ってリフト管へ供給する請求項１記載の井戸管底部の土砂吸上げ方法。
【請求項３】
井戸管の底部に溜まった堆積物を吸い上げる装置において、井戸管に挿入されるリフト管の先端には開口を有し、リフト管は地上に配置した吸引車のタンクに接続し、リフト管先端の開口から水と共に土砂を吸い込んでタンクに収容し、水と土砂をタンク内で分離し、そして、タンクには一定水位以上溜まった水を排水して井戸管内へ戻すための戻しホースを連結したことを特徴とする井戸管底部の土砂吸上げ装置。
【請求項４】
上記リフト管の途中にエアー管を接続し、地上に配置したエアーコンプレッサーからエアー管を通して空気をリフト管へ供給するようにした請求項３記載の井戸管底部の土砂吸上げ装置。
【発明の詳細な説明】
【技術分野】
【０００１】
本発明は、井戸の底に沈殿する堆積物を吸上げる方法、及びその際に使用する吸上げ装置に関するものである。
【背景技術】
【０００２】
井戸を設置して長い年月が経過するならば、井戸管の内壁面には劣化した泥錆が固着し、底には泥や土砂が堆積する。井戸管内壁面に固着した泥錆を除去する為には、ノズルから高圧水を噴射しながら回転することで内壁面に当てて、固着した泥錆を洗い落とすことが出来る。
【０００３】
特開２００９−１８２１４号に係る「深井戸管内の洗浄方法及び洗浄装置」は、上部ガイドと下部ガイドの間に回転体を軸支し、回転体の外周には複数の噴射ノズルを取付け、噴射ノズルからは超高圧水が噴射するように超高圧水ホースと連通し、そして噴射ノズルは超高圧水を噴射すると共に噴射に伴って回転体と共に回転し、さらに、下部ガイドの下方には噴射する水によって洗い落とされた泥やその他の汚れを収容する網籠を取付けている。
【０００４】
また、回転するブラシにて井戸管内壁面を擦るならば、固着した泥錆を除去することが出来る。
例えば、特開平８−２０９７５４号に係る「管内洗浄装置」は、上方より井筒管内に装入され、モータを内蔵したモータケースと、モータケースの外周面に拡縮自在に設けられ、井筒管内壁と接触して振れ止めとなるストッパと、モータケースの下端のモータ軸に直結される洗浄器本体とを備え、この洗浄器本体はモータ軸に連結される支持棒と、この支持棒の下端に固着されたスクリュと、スクリュの上部に支持棒を囲続するように設けられたチューブとを有し、このチューブの下部周辺には多数の水抜き孔を、同下部の外周には前記井筒管内壁と可及的近似した外径を有する上下２個のブラシを有している。
【０００５】
特開２００４−３５３２９６号に係る「井戸修繕方法及び井戸修繕装置」は、有底筒状の回収ケースを井戸内に吊り下げ、回収ケースよりも下方に有する水噴射ノズルから下方と斜め上方に水噴射し、下方の噴射流で埋没土砂を飛散させ、斜め上方の噴射流で回収ケースの外側から上方に土砂を導いて回収ケース上側の口部から内部に土砂を水ごと取り込み、回収ケースの外面と底面の少なくとも一部に備わる透水フィルターによって外部に水を排出しつつ内部に土砂を溜める井戸修繕方法である。
【０００６】
そして、井戸管底に堆積した泥砂を除去する為には一般に「エアーリフト法」が用いられている。図４（ａ）に示すように、泥砂を吸い上げるリフト管の途中にはエアー管を接続し、このリフト管を井戸底まで降下する。そして、図４（ｂ）に示すように地上からエアーコンプレッサーにて圧縮空気をエアー管を通してリフト管へ送る。空気がリフト管に入るならば、該リフト管内部の水は比重が小さくなり、井戸管内部の地下水に押されて空気と共に地上に噴出する。
【０００７】
この際、井戸管内の地下水はリフト管の先端から該リフト管内へ急速に流入し、リフト管先端付近の土砂や砂利を巻き込んで急速度で地上に噴出することが出来る。土砂の噴出が少なくなったらリフト管を徐々に降下し、所定の深度まで土砂を回収することが可能となる。
【０００８】
該エアーリフト工法を用いての浚渫作業は、井戸管内部に溜まっている地下水を吸い上げることで、底に堆積している土砂を同時に吸い上げることが出来るが、地下水が無くなると土砂の吸い上げは出来なくなる。
通常、エアーリフト工法では井戸管内部に所定の深さの水位があるが、空気を送り込んで井戸水が吸上げられることで水位は降下する。
【０００９】
井戸の水位は様々で、地下水が自噴する井戸もあれば、地上から３ｍのところに水位がある井戸もあり、地上から３０ｍ〜４０ｍと深い位置に水位がある井戸もある。そこで、水位が３０ｍ〜４０ｍ、さらに５０ｍ，６０ｍと深い位置にあり、このような井戸を対象としてエアーリフト工法による浚渫を行う場合、水位がさらに低下するならば、空気をリフト管へ供給しても吸い込むことが出来ず、エアーリフト工法が不可能となる場合も多い。
【００１０】
【特許文献１】特開２００９−１８２１４号に係る「深井戸管内の洗浄方法及び洗浄装置」
【特許文献２】特開平８−２０９７５４号に係る「管内洗浄装置」
【特許文献３】特開２００４−３５３２９６号に係る「井戸修繕方法及び井戸修繕装置」
【発明の開示】
【発明が解決しようとする課題】
【００１１】
このように、従来のエアーリフト工法には上記のごとき問題がある。本発明が解決しようとする課題はこの問題点であり、水位が低い井戸であって、井戸管内に溜まっている地下水が低下することなく堆積物を全て吸い上げることが出来る井戸底の堆積物吸上げ方法及び吸上げ装置を提供する。
【課題を解決するための手段】
【００１２】
本発明に係る井戸底に堆積する堆積物の吸上げ方法は、従来のエアーリフト工法を改良した技術である。その為にエアーリフト工法を構成する要件は全て備え、これに本発明の特徴が加わって構成している。そこで、リフト管の先端は開口し、途中にはエアー管が接続し、地上のエアーコンプレッサーからエアー管へ供給される圧縮空気はリフト管へ流れるようになる。
【００１３】
そして、リフト管先端の開口からは井戸水と共に堆積物である泥や土砂が吸い込まれ、該リフト管を上昇して吸引車のタンクへ入る。そして、該タンクでは水と土砂を分離し、水は再び井戸に戻される。吸引車のタンクには上記リフト管が接続され、また、タンクから水を流出する為のホースが接続され、このホースは井戸に挿入される。ここで、吸引車に備わっているタンクの具体的な構造は限定しないことにする。
【発明の効果】
【００１４】
本発明に係る井戸の底に沈殿する堆積物の吸上げ方法は、従来のエアーリフト工法のように、リフト管の先端開口から井戸管底に堆積した堆積物を井戸水と共に吸上げることが出来る。
そして、リフト管の先端開口から吸い込まれた井戸水と泥や土砂はリフト管を上昇して吸引車のタンクに入り、該タンクで水と土砂は分離され、水は再び井戸へ戻される。
【００１５】
そこで、地面から深さが３０ｍ〜４０ｍ、さらには５０ｍ、６０ｍもある水位の井戸の場合、水がリフト管から吸い上げられることで更に水位が低下しようとするが、吸引車のタンクに入った水は再び井戸に戻される。したがって、水位がさらに低下することはなく、エアーリフト工法によって井戸底に堆積した泥や土砂を残すことなく吸い上げ、タンクに回収することが出来る。
【図面の簡単な説明】
【００１６】
【図１】本発明に係る土砂吸上げ装置の実施例を示す概略図。
【図２】吸引車を示す実施例。
【図３】吸引車に搭載されるタンクの内部構造。
【図４】エアーリフト工法で、（ａ）はリフト管を井戸管の底部へ降ろした場合、（ｂ）はリフト管を用いて土砂を吸い上げる方法。
【発明を実施するための形態】
【００１７】
図１は本発明に係る土砂の吸上げ装置の概略図を示す実施例である。同図の１は井戸管、２はリフト管、３はエアー管、４は吸引車、５は戻しホースをそれぞれ表している。
本発明の基本構造はエアーリフト工法であり、エアーをリフト管２へ供給することで井戸底に堆積している泥や土砂を水と共に吸い上げるためにはある程度の水位が必要と成る。
【００１８】
水を吸上げることで水位が低下するならば、リフト管先端の開口に働く静水圧が下がり、該リフト管２に空気を供給して管内の比重を小さくしても地上まで上昇することが出来なくなる。井戸管１の内部には井戸水６があって所定の深さの水位７が保たれている。吸引車４に接続されたリフト管２は井戸管１の内部に挿入されて、先端は底部まで下ろされる。
【００１９】
地上には吸引車４の他にエアーコンプレッサー８が配置され、該エアーコンプレッサー８から延びるエアー管３はリフト管２の途中に接続している。そこで、エアーコンプレッサー８から送られる空気はエアー管３を流れてリフト管２に入る。空気がリフト管２内部の水に混ざり合うことで比重は小さくなり、その為にリフト管内の水は上昇して吸引車４のタンク９に入る。勿論、吸引車４の吸引力が働くことで水の吸い上げはスムーズに行われ、同時に井戸管の底に堆積している土砂も水と共に吸い上げられる。
【００２０】
ここで、エアーコンプレッサー８を使用しないで、吸引車４の吸引力だけで水と土砂をリフト管２を通して吸い上げることも可能である。
しかし、井戸管内の水が無くなってしまうと、底に堆積している土砂１０を吸い上げることは出来ない。本発明では、リフト管２を通してタンク９に収容された水を土砂と分離して再び井戸管１へ戻すために戻しホース５をタンク９に接続している。
【００２１】
図２は吸引車４の外観を示す実施例であり、運転席の後方には大きなタンク９を搭載し、このタンク９に井戸管内の水と共に底に堆積している土砂１０を吸い上げて収容することが出来る。
図３はタンク９の内部構造を示す具体例である。タンク内部には上面１１から下方へ延びる鉄板１２を取付け、リフト管２に接続した流入管１３はタンク内部へ入り、その先端は上記鉄板１２付近まで延びている。
【００２２】
したがって、井戸管１の底から井戸水６と共に土砂１０が吸い上げられ、流入管１３から流出した井戸水６及び土砂１０は鉄板１２に当たり、比重の大きな土砂１０はタンク９の底に直ちに沈殿することが出来る。そして、タンク内の水の水位１４が上がって、図３（ｂ）のように排出口１５まで達するならば、排出弁１６を開くことで排出口１５から戻りホース５を流れ、再び井戸管１へ戻される。したがって、井戸管内の水位７が低下することはない。
【００２３】
タンク９に井戸水６と共に土砂１０は流入し、比重の大きな土砂はタンク９の底に沈殿するが、上記鉄板１２に当たることで土砂１０は直ちに沈殿することが出来る。勿論、土砂１０と井戸水６とを分離する方法に関しては特に限定するものではない。
【符号の説明】
【００２４】
１   井戸管
２   リフト管
３   エアー管
４   吸引車
５   戻しホース
６   井戸水
７   水位
８   エアーコンプレッサー
９   タンク
10   土砂
11   上面
12   鉄板
13   流入管
14   水位
15   排水口
16   排水弁
【図１】
2015214842.tif 000003
【図２】
2015214842.tif 000004
【図３】
2015214842.tif 000005
【図４】
2015214842.tif 000006